(57)【特許請求の範囲】
【請求項１】
搬送される透明ウェブ上に透明インキで印刷された透明見当マークを検出可能な見当マーク検出装置であって、
光源と、
前記光源からの光束を平行光束に変換して、前記透明ウェブに照射する照射手段と、
前記透明ウェブを透過した光束を集光する集光手段と、
前記集光手段の後側焦点近傍に配置され、前記透明ウェブを直進する光束を遮断し、前記透明見当マークを透過することにより屈折した光束を通過させるナイフエッジと、
前記ナイフエッジを通過した光束を受光する受光手段と、
を備えることを特徴とする見当マーク検出装置。
【請求項２】
前記ナイフエッジを移動させるナイフエッジ移動手段をさらに備えることを特徴とする請求項１に記載の見当マーク検出装置。
【請求項３】
可視インキで印刷された可視見当マークを検出する場合、前記ナイフエッジ移動手段は、前記透明ウェブを直進する光束を遮断しないように、前記集光手段の後側焦点から退避した位置に前記ナイフエッジを移動させることを特徴とする請求項２に記載の見当マーク検出装置。
【請求項４】
前記透明見当マークを構成する透明インキの種類ごとに、前記透明見当マークの検出に適合した前記ナイフエッジの位置を記憶するナイフエッジ位置記憶手段と、
前記ナイフエッジ位置記憶手段から前記透明インキの種類に応じてナイフエッジ位置を選択し、選択したナイフエッジ位置となるように前記ナイフエッジ移動手段を制御する制御手段とをさらに備えることを特徴とする請求項２または３に記載の見当マーク検出装置。
【請求項５】
前記受光手段の前に設けられた、透過帯域の異なる複数の干渉フィルタと、
前記透明見当マークを構成する透明インキの種類に応じて、前記複数の干渉フィルタの切替を行う干渉フィルタ切替手段とを備えることを特徴とする請求項１から４のいずれかに記載の見当マーク検出装置。
【請求項６】
前記照射手段と前記透明ウェブとの間に配置された偏光子と、
前記透明ウェブと前記受光手段との間に、前記偏光子とクロスニコル状態で配置された検光子とをさらに備えることを特徴とする請求項１から５のいずれかに記載の見当マーク検出装置。
【請求項７】
前記透明見当マークの一方の端部が前記照射手段から照射された平行光束に入った第１時刻に発生した第１パルスと、他方の端部が前記照射手段から照射された平行光束から出た第２時刻に発生した第２パルスとに基づいて、第１時刻に立ち上がりまたは立ち下がり、第２時刻に立ち下がりまたは立ち上がる１つのパルスを生成する信号処理手段をさらに備えることを特徴とする請求項１から６のいずれかに記載の見当マーク検出装置。
【請求項８】
前記光源は、ストロボ発光する光源であり、前記受光手段は、前記ナイフエッジを通過した光束の像を撮像する撮像素子であることを特徴とする請求項１から６のいずれかに記載の見当マーク検出装置。
【請求項９】
前記撮像素子により撮像された像を表示する表示手段をさらに備えることを特徴とする請求項８に記載の見当マーク検出装置。
【発明の詳細な説明】
【技術分野】
【０００１】
本発明は、搬送される透明ウェブ上に透明インキで印刷された透明見当マークを検出可能な見当マーク検出装置に関する。
【背景技術】
【０００２】
輪転印刷機により透明ウェブに多色の絵柄を印刷する場合、一般に１色ずつ重ねて１つの絵柄を構成する。この場合、各色の重複に際し往々にして印刷にずれが生じたり、色と色の間に余白が生じたりすることがあるので、見当ずれが生じないように正しく整合を行う必要がある。この目的を達成するために、自動見当合せ装置という自動制御装置が用いられる。この自動見当合せ装置は、一般に、透明ウェブに各色ごとに印刷された見当マークを検出することにより見当ずれ量を算出し、見当ずれが修正されるように印刷機のコンペンセータローラを制御するものである。
【０００３】
透明ウェブに印刷された見当マークの検出方法としては、ハロゲンランプやＬＥＤ等の光源と受光素子とを備えた見当マーク検出装置を用いることにより、光学的に見当マークを検出する方法が知られている。
【０００４】
ここで、見当マークには、可視インキで印刷されたものと、透明インキで印刷されたものとがある。見当マークが可視インキで印刷されたものである場合、透明ウェブに可視光を照射し、透明ウェブを透過した透過光の光量変化を測定することにより見当マークを検出できる。一方、見当マークが透明インキで印刷されたものである場合、見当マークを透過した透過光と見当マークが印刷されていない部分を透過した透過光とは光量が殆ど変わらないため、安定して見当マークを検出することが難しい。
【０００５】
そこで、たとえば特許文献１には、微量の蛍光増白剤を添加した透明インキを用いて印刷した見当マークに紫外線を照射し、ルミネッセンスを発光させて検出する方法が開示されている。また、特許文献２には、透明インキに紫外線吸収物質を添加して印刷した見当マークに紫外線を照射し、紫外線吸収による反射または透過光量の変化から見当マークを検出する方法が開示されている。
【特許文献１】特開昭５７−９３１５４３号公報
【特許文献２】特開平１−２８３１４７号公報
【発明の開示】
【発明が解決しようとする課題】
【０００６】
しかしながら、特許文献１、２のように透明インキに蛍光増白剤や紫外線吸収物質などの添加物を添加した場合、印刷物の外観に悪影響を与えるおそれがある。また、紫外線を照射する光源を用いる必要があるため、可視光の光源を用いた場合よりも装置のコストが上昇してしまう。
【０００７】
本発明はこうした状況に鑑みてなされたものであり、その目的は、透明ウェブ上に印刷された透明インキの見当マークを好適に検出できる見当マーク検出装置を提供することにある。
【課題を解決するための手段】
【０００８】
上記課題を解決するために、本発明のある態様の見当マーク検出装置は、搬送される透明ウェブ上に透明インキで印刷された透明見当マークを検出可能な見当マーク検出装置であって、光源と、光源からの光束を平行光束に変換して、透明ウェブに照射する照射手段と、透明ウェブを透過した光束を集光する集光手段と、集光手段の後側焦点近傍に配置され、透明ウェブを直進する光束を遮断し、透明見当マークを透過することにより屈折した光束を通過させるナイフエッジと、ナイフエッジを通過した光束を受光する受光手段とを備える。
【０００９】
この態様によると、照射手段により照射された平行光束が透明見当マークに照射されたときに受光手段に光束が入射されるので、透明見当マークを検出することができる。この見当マーク検出装置は、透明見当マークの光学的不均一による屈折を利用したものであるので、透明インキに蛍光増白剤や紫外線吸収物質などの添加物を添加せずとも透明見当マークを検出できる。従って、印刷物の外観に悪影響を与えるおそれがない。また、可視光の光源を用いることができるので、装置のコストを安価にできる。
【００１０】
ナイフエッジを移動させるナイフエッジ移動手段をさらに備えてもよい。可視インキで印刷された可視見当マークを検出する場合、ナイフエッジ移動手段は、透明ウェブを直進する光束を遮断しないように、集光手段の後側焦点から退避した位置にナイフエッジを移動させてもよい。
【００１１】
この場合、ナイフエッジを集光手段の後側焦点から退避させることにより、可視インキで印刷された可視見当マークを検出することができる。可視見当マーク検出用と透明見当マーク検出用の装置を共用できるので、装置構成が簡略化され、装置を安価に構成できる。
【００１２】
透明見当マークを構成する透明インキの種類ごとに、透明見当マークの検出に適合したナイフエッジの位置を記憶するナイフエッジ位置記憶手段と、ナイフエッジ位置記憶手段から透明インキの種類に応じてナイフエッジ位置を選択し、選択したナイフエッジ位置となるようにナイフエッジ移動手段を制御する制御手段とをさらに備えてもよい。透明見当マークの検出に適合したナイフエッジの位置は、透明インキの種類によって異なるが、このように構成することにより、透明インキの種類が変わっても好適に透明見当マークを検出できる。
【００１３】
受光手段の前に設けられた、透過帯域の異なる複数の干渉フィルタと、透明見当マークを構成する透明インキの種類に応じて、複数の干渉フィルタの切替を行う干渉フィルタ切替手段とを備えてもよい。受光手段の前に干渉フィルタを配置することにより余分な波長の光がカットされ、好適に透明見当マークを検出できるが、最適な干渉フィルタの透過帯域は、透明見当マークを構成する透明インキの種類によって異なる。このように構成することにより、透明インキの種類に適合した干渉フィルタを用いることができる。
【００１４】
照射手段と透明ウェブとの間に配置された偏光子と、透明ウェブと受光手段との間に、偏光子とクロスニコル状態で配置された検光子とをさらに備えてもよい。この場合、余分な光束をカットすることができるので、好適に透明見当マークを検出することができる。
【００１５】
透明見当マークの一方の端部が照射手段から照射された平行光束に入った第１時刻に発生した第１パルスと、他方の端部が照射手段から照射された平行光束から出た第２時刻に発生した第２パルスとに基づいて、第１時刻に立ち上がりまたは立ち下がり、第２時刻に立ち下がりまたは立ち上がる１つのパルスを生成する信号処理手段をさらに備えてもよい。
【００１６】
上述のように構成された見当マーク検出装置を用いて透明見当マークを検出した場合、透明見当マークの一方の端部が平行光束に入った第１時刻と、他方の端部が平行光束から出た第２時刻において、急峻な２つのパルスが出力される。従って、このままの信号波形とであると、可視見当マークを検出した場合の信号と異なる信号波形となるため、見当合せ装置の初期見当合せにおいて見当状況の確認が難しくなる。そこで、このように１つのパルスを生成する信号処理手段を備えることにより、透明見当マークを検出した場合も、可視見当マークと同様な信号波形を出力できるので、可視見当マークの見当合せと同様に扱うことができ、初期見当合せにおける見当状況の確認が容易となる。
【００１７】
光源は、ストロボ発光する光源であり、受光手段は、ナイフエッジを通過した光束の像を撮像する撮像素子であってもよい。また、撮像素子により撮像された像を表示する表示手段をさらに備えてもよい。この場合、透明見当マークの印刷状態を静止画像として可視化できるので、その可視画像をもとに透明見当マークの印刷状態を監視できる。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、透明ウェブ上に印刷された透明インキの見当マークを好適に検出できる。
【発明を実施するための最良の形態】
【００２０】
以下、図面を参照しつつ本発明を実施するための最良の形態について詳細に説明する。
【００２１】
図１は、本発明の実施の形態に係る見当マーク検出装置を用いた輪転印刷機１００を示す図である。図１に示す輪転印刷機１００は、フィルム等の透明ウェブ３０に対して４色刷りが可能なグラビア輪転印刷機である。
【００２２】
図１に示すように、輪転印刷機１００は、４つの第１印刷ユニット１２ａ、第２印刷ユニット１２ｂ、第３印刷ユニット１２ｃ、第４印刷ユニット１２ｄが直列に配置されている。なお、第１印刷ユニット１２ａ、第２印刷ユニット１２ｂ、第３印刷ユニット１２ｃ、第４印刷ユニット１２ｄを総称する場合は、適宜「印刷ユニット１２」と呼ぶ。
【００２３】
第１印刷ユニット１２ａの上流には、印刷される透明ウェブ３０を供給する巻出し部１４が設置されている。また、第４印刷ユニット１２ｄの下流には、印刷された透明ウェブ３０を巻き取る巻取り部１６が設置されている。各印刷ユニット１２には、複数のガイドローラ１８が設けられており、透明ウェブ３０の搬送路が形成されている。
【００２４】
各印刷ユニット１２には、透明ウェブ３０を挟む形で、その下側に塗工剤としてのインキを転写する円筒状の版胴２０が、上側に透明ウェブ３０に圧力を加える円筒状の圧胴２２が、それぞれ円筒軸周りに回転自在に取り付けられている。また、各版胴２０の下流には、透明ウェブ３０の印刷面を乾燥させる乾燥機２４が配置されている。
【００２５】
第２印刷ユニット１２ｂ、第３印刷ユニット１２ｃ、第４印刷ユニット１２ｄには、版胴２０と乾燥機２４との間にスキャニングヘッド２６がそれぞれ配置されている。各スキャニングヘッド２６には、後述する見当マーク検出装置が２つ、透明ウェブ３０の搬送方向に所定の基準間隔Ｄｓｔで並んで設けられている。
【００２６】
たとえば、第２印刷ユニット１２ｂのスキャニングヘッド２６における一方の見当マーク検出装置は、自身よりも上流の第１印刷ユニット１２ａで印刷された見当マーク（第１見当マークと呼ぶ）を検出し、他方の見当マーク検出装置は、自身の版胴２０で印刷された見当マーク（第２見当マークと呼ぶ）を検出する。スキャニングヘッド２６は、制御部２８に電気的に接続されており、制御部２８により、第１見当マークと第２見当マークとの見当ずれ量が演算される。本実施の形態では、透明ウェブ３０の搬送方向の見当ずれである縦方向見当ずれを検出することができる。
【００２７】
第１印刷ユニット１２ａと第２印刷ユニット１２ｂの間、第２印刷ユニット１２ｂと第３印刷ユニット１２ｃの間、第３印刷ユニット１２ｃと第４印刷ユニット１２ｄの間には、それぞれ透明ウェブ３０の供給位相を調整するコンペンセータローラ３２が配置されている。このコンペンセータローラ３２は、レジスタモータ３４により駆動される。各レジスタモータ３４は、制御部２８に電気的に接続されており、制御部２８からの指示により、縦方向見当ずれが無くなるようにコンペンセータローラ３２を上下に移動させる。これにより、縦方向の印刷ずれを修正することができる。
【００２８】
また、輪転印刷機１００では、制御部２８にモニタ６６が接続されている。モニタ６６は、スキャニングヘッド２６により検出された信号を表示する。ユーザは、モニタ６６を監視することにより、見当ずれの状況を視認することができる。
【００２９】
図２は、本発明の実施の形態に係る見当マーク検出装置１０を説明するための図である。見当マーク検出装置１０は、透明インキで印刷された透明見当マークと、可視インキで印刷された可視見当マークのいずれも検出可能な見当マーク検出装置である。
【００３０】
図２に示すように、見当マーク検出装置１０は、光源４０と、平行光束照射光学系７０と、集光光学系７２と、ナイフエッジ５２と、受光光学系７４とを備える。
【００３１】
光源４０は、可視光を出力する光源である。光源４０は、点光源を出力する機能を有する。光源４０としては、たとえば、ハロゲンランプや、ＬＥＤ、キセノンランプなどを用いることができる。光源４０から出力された光は、光ファイバ４２を介して平行光束照射光学系７０に入射される。光ファイバ４２としては、たとえば、石英、多成分ガラス、アクリルなどで形成されたものを用いることができる。また、その材質選択の際には、光ファイバを通過する際に光束に光学的不均一が極力発生しにくいものを選択することが望ましい。
【００３２】
平行光束照射光学系７０は、コリメータレンズ４４と、第１ミラー４６とを備える。コリメータレンズ４４は、光源４０からの光束を平行光束に変換する。平行光束は、第１ミラー４６によって反射され、搬送される透明ウェブ３０に垂直に照射される。透明ウェブ３０を透過した光束は、集光光学系７２に入射される。図２では、平行光束が、透明ウェブ３０上に印刷された透明見当マーク３１を透過する様子を示している。
【００３３】
集光光学系７２は、第２ミラー４８と、集光レンズ５０とを備える。透明ウェブ３０を透過した光束は、第２ミラー４８により反射され、集光レンズ５０により集光される。集光レンズ５０により集光された光束は、集光レンズ５０の後側焦点Ｆに収束される。
【００３４】
本実施の形態のように、第１ミラー４６と第２ミラー４８を用いて光学系を構成することにより、装置を小型に構成することができる。もちろん、コリメータレンズ４４からの平行光束を直接透明ウェブ３０に垂直に照射し、透明ウェブ３０を透過した光束を直接集光レンズ５０で集光するよう光学系を構成してもよい。この場合、部品点数が少なくなるので、装置を安価に構成できる。
【００３５】
集光レンズ５０の後側焦点Ｆの近傍には、ナイフエッジ５２が配置される。ナイフエッジ５２には、ナイフエッジ５２の位置を移動させるナイフエッジ移動機構５４が設けられている。ナイフエッジ移動機構５４は、制御部２８に電気的に接続されており、制御部２８からの指示により、ナイフエッジ５２の位置を調整できる。
【００３６】
制御部２８は、輪転印刷機１００の各印刷ユニット１２において印刷されるインキの色を記憶しており、各見当マーク検出装置１０が透明見当マーク３１を検出すべきか、可視見当マークを見当すべきかを予め認識している。制御部２８は、見当マーク検出装置１０の動作モードを、透明見当マーク３１を検出する透明見当マーク検出モードと、可視見当マークを検出する可視見当マーク検出モードとに切り替えることができる。
【００３７】
透明見当マーク検出モードの場合、ナイフエッジ５２は、透明ウェブ３０を直進する光束を遮断し、透明見当マーク３１の光学的不均一により屈折した光束のみが通過するようにその位置が調整される。これにより、透明ウェブ３０の透明見当マーク３１が印刷されていない部分を透過した光束は、ナイフエッジ５２により遮断されるが、透明見当マーク３１を通過したことにより屈折した光束は、ナイフエッジ５２を通過する。従って、ナイフエッジ５２を通過した光束の光量を測定することにより、透明見当マーク３１を検出することができる。
【００３８】
一方、可視見当マーク検出モードの場合、ナイフエッジ５２は、透明ウェブ３０を直進する光束を遮断しないように、後側焦点Ｆから離間した位置に調整される。これにより、透明ウェブ３０の可視見当マークが印刷されていない部分を透過した光束は、ナイフエッジ５２を通過するが、可視見当マークに照射された平行光束は、可視見当マークによって遮断されるか若しくは減衰されるので、ナイフエッジ５２を通過する光束の光量は小さくなる。従って、ナイフエッジ５２を通過した光束の光量を測定することにより、可視見当マークを検出することができる。
【００３９】
制御部２８は、透明見当マーク３１を構成する透明インキの種類ごとに、透明見当マーク３１の検出に適合したナイフエッジ５２の位置を記憶するナイフエッジ位置記憶部を有している。さらに、制御部２８は、ナイフエッジ位置記憶部から透明インキの種類に応じてナイフエッジ位置を選択し、選択したナイフエッジ位置となるようにナイフエッジ移動機構５４を制御するナイフエッジ位置制御部を有している。ナイフエッジ移動機構５４は、ナイフエッジ５２の位置を検出するためのロータリーエンコーダ（図示せず）と、ナイフエッジ５２を移動するためのモータ（図示せず）とを備え、制御部２８は、ロータリーエンコーダとモータの情報に基づいてナイフエッジ位置を制御する。また、同様に、エンコーダ機能とモータ機能を内蔵したサーボモータなどを用いることもできる。透明見当マーク３１の検出に適合したナイフエッジ５２の位置は、透明見当マーク３１を構成する透明インキの種類によって異なるが、上述のようなナイフエッジ位置記憶部とナイフエッジ位置制御部を制御部２８に設けることにより、透明インキの種類が変わっても好適に透明見当マーク３１を検出できる。
【００４０】
ナイフエッジ５２を通過した光束は、受光光学系７４に入射される。受光光学系７４は、レンズ５６と、光ファイバ５８と、干渉フィルタ部６０と、受光素子６４とを備える。ナイフエッジ５２を通過した光束は、レンズ５６により集光されて光ファイバ５８の一方の端部に入射される。光ファイバ５８の他方の端部から出射された光束は、干渉フィルタ部６０を通って、受光素子６４により受光され、光電変換される。受光素子６４は、たとえばフォトダイオード、フォトマルチプライヤ、光電管などであってよい。
【００４１】
干渉フィルタ部６０には、透過帯域の異なる複数の干渉フィルタが並べられている。本実施の形態では、Ｒ・Ｇ・Ｂの３つの透過帯域の干渉フィルタが一列に並べられている。干渉フィルタ部６０には、干渉フィルタ切替機構６２が設けられており、制御部２８からの指示により干渉フィルタ部６０を移動させて、光束が透過する干渉フィルタを切り替えることができるようになっている。このように、干渉フィルタを切替可能としたことにより、透明見当マーク検出モードにおいて、たとえば検出した光束の光量やスペクトルを観察しながら、透明見当マーク３１を構成する透明インキの種類に応じて最適な干渉フィルタを選択することができる。また、可視見当マーク検出モードにおいても、検出した光束の光量やスペクトルを観察しながら、最適な干渉フィルタを選択することができる。
【００４２】
受光素子６４で光電変換された電気信号は、制御部２８に送られ、後述する信号処理が施される。制御部２８で信号処理が施された電気信号は、モニタ６６に表示される。
【００４３】
以上のように、本実施の形態に係る見当マーク検出装置１０によれば、透明見当マーク検出モードにおいて、平行光束照射光学系７０により照射された平行光束が透明見当マーク３１に照射されたときのみ受光素子６４に光束が入射されるので、透明見当マーク３１を検出することができる。
【００４４】
本実施の形態に係る見当マーク検出装置１０は、透明見当マーク３１の光学的不均一による屈折を利用したものであるので、透明インキに蛍光増白剤や紫外線吸収物質などの添加物を添加せずとも透明見当マーク３１を検出できる。従って、印刷物の外観に悪影響を与えるおそれがなく、透明インキのコストも安価にできる。また、可視光の光源４０を用いることができるので、紫外線の光源を用いる必要がなく、装置のコストを安価にできる。
【００４５】
また、本実施の形態に係る見当マーク検出装置１０では、透明ウェブ３０に平行光束を照射しているので、高速で搬送することにより透明ウェブ３０が振動した場合であっても、安定して見当マークを検出できる。
【００４６】
図３（ａ）（ｂ）は、制御部２８における信号処理を説明するための図である。図３（ａ）は、受光素子６４により光電変換された直後の、信号処理を施す前の電気信号の様子を示している。
【００４７】
本実施の形態に係る見当マーク検出装置１０を用いて、搬送される透明ウェブ３０に印刷された透明見当マーク３１を検出する場合、受光素子６４からは、図３（ａ）に示すように、透明見当マーク３１の一方の端部が平行光束に入った時刻ｔ１と、他方の端部が平行光束から出た時刻ｔ２において、急峻な２つのパルスＡ、Ｂが出力される。一方、透明ウェブ３０に印刷された可視見当マークを検出する場合、受光素子６４からは、可視見当マークの一方の端部が平行光束に入った時刻に電圧が立ち下がり、他方の端部が平行光束から出た時刻に電圧が立ち上がる１つのパルスが出力される。
【００４８】
このように、受光素子６４から出力された信号をそのまま若しくは単に増幅等を施しただけでモニタ６６に出力すると、可視見当マークを検出した場合の信号と異なる信号波形となるため、見当合せ装置の初期見当合せにおいて見当状況の確認が難しくなる。
【００４９】
そこで、本実施の形態においては、制御部２８は、受光素子６４から出力された急峻な２つのパルスＡ、Ｂを、図３（ｂ）に示すような時刻ｔ１に電圧が立ち上がり、時刻ｔ２に電圧がたち下がる１つのパルスＣに変換する。これにより、透明見当マークを検出した場合も、可視見当マークと同様な信号波形をモニタ６６に表示できるので、可視見当マークの見当合せと同様に扱うことができ、初期見当合せにおける見当状況の確認が容易となる。なお、透明見当マークを検出した場合と、可視見当マークを検出した場合とでは、電圧の立ち上がりおよび立ち下がりの方向が逆になるが、これについては、インバータ回路や、反転増幅回路などを用いて適宜電圧極性を反転させればよい。
【００５０】
図４は、スキャニングヘッド２６の構成を説明するための図である。ここでは、図１の輪転印刷機１００において、第２印刷ユニット１２ｂに配置されたスキャニングヘッド２６を例として説明する。輪転印刷機１００では、第１印刷ユニット１２ａによって可視見当マーク８０が印刷され、第２印刷ユニット１２ｂによって透明見当マーク８２が印刷されるものとする。
【００５１】
図４に示すように、スキャニングヘッド２６は、第１見当マーク検出装置１０ａと第２見当マーク検出装置１０ｂを有する。図４に示す第１見当マーク検出装置１０ａ、第２見当マーク検出装置１０ｂでは、コリメータレンズ４４ａ、４４ｂからの平行光束を直接透明ウェブ３０に垂直に照射し、透明ウェブ３０を透過した光束を直接集光レンズ５０ａ、５０ｂで集光するよう光学系を構成している。集光レンズ５０ａ、５０ｂで集光された光束は、ナイフエッジ５２ａ、５２ｂを通過した後レンズ５６ａ、５６ｂにより集光され、受光素子６４ａ、６４ｂにより光電変換される。なお、図４に示す第１見当マーク検出装置１０ａ、第２見当マーク検出装置１０ｂでは、光源、干渉フィルタ部などの図示を省略している。
【００５２】
スキャニングヘッド２６では、第１見当マーク検出装置１０ａにおけるコリメータレンズ４４ａおよび集光レンズ５０ａと、第２見当マーク検出装置１０ｂにおけるコリメータレンズ４４ｂおよび集光レンズ５０ｂは、所定の基準間隔Ｄｓｔで並設されている。基準間隔Ｄｓｔは、たとえば２０ｍｍに設定される。なお、以下においては、第１見当マーク検出装置１０ａにおけるコリメータレンズ４４ａおよび集光レンズ５０ａと、第２見当マーク検出装置１０ｂにおけるコリメータレンズ４４ｂおよび集光レンズ５０ｂとが所定の基準間隔Ｄｓｔで並設されている状態を、単に第１見当マーク検出装置１０ａと第２見当マーク検出装置１０ｂが所定の基準間隔Ｄｓｔで並設されていると表現する。
【００５３】
スキャニングヘッド２６では、上流に位置する第１見当マーク検出装置１０ａを透明見当マーク検出モードに設定し、下流に位置する第２見当マーク検出装置１０ｂを可視見当マーク検出モードに設定する。すなわち、制御部２８は、第１見当マーク検出装置１０ａのナイフエッジ移動機構５４ａに指示を出し、第１見当マーク検出装置１０ａのナイフエッジ５２ａが、透明ウェブ３０を直進する光束を遮断し、透明見当マーク８２の光学的不均一により屈折した光束のみを通過するようにする。また、制御部２８は、第２見当マーク検出装置１０ｂのナイフエッジ移動機構５４ｂに指示を出し、ナイフエッジ５２ｂを後側焦点Ｆから離間した位置に移動して、透明ウェブ３０を直進する光束を遮断しないようにする。
【００５４】
図５（ａ）（ｂ）は、スキャニングヘッド２６の検出信号を示す図である。図５（ａ）は、第１見当マーク検出装置１０ａの検出信号を示す図であり、図５（ｂ）は、第２見当マーク検出装置１０ｂの検出信号を示す図である。なお、図５（ｂ）では、第２見当マーク検出装置１０ｂの受光素子６４ｂで検出した信号を、反転して示している。
【００５５】
図４に示すように構成されたスキャニングヘッド２６において、第１見当マーク検出装置１０ａは、可視見当マーク８０が第１見当マーク検出装置１０ａの照射する平行光束に入った時刻ｔ１にパルスＤが発生し、透明見当マーク８２が第１見当マーク検出装置１０ａの照射する平行光束に入った時刻ｔ２にパルスＥが発生する。
【００５６】
また、第２見当マーク検出装置１０ｂは、可視見当マーク検出モードであるので、可視見当マーク８０が第２見当マーク検出装置１０ｂの照射する平行光束に入った時刻ｔ３にパルスＦが発生し、透明見当マーク８２が第２見当マーク検出装置１０ｂの照射する平行光束に入った時刻ｔ４にはパルスは発生しない。
【００５７】
ここで、第１見当マーク検出装置１０ａと第２見当マーク検出装置１０ｂの間隔は、基準間隔Ｄｓｔであるため、可視見当マーク８０と透明見当マーク８２の見当マーク間隔Ｄｍが正確に基準間隔Ｄｓｔと等しい場合、図５（ａ）（ｂ）において、パルスＥの立ち上がり時刻ｔ２とパルスＦの立ち上がり時刻ｔ３は一致する。
【００５８】
一方、見当マーク間隔Ｄｍが基準間隔Ｄｓｔと等しくない場合、パルスＥの立ち上がり時刻ｔ２とパルスＦの立ち上がり時刻ｔ３は異なる時刻となる。制御部２８は、この時刻ｔ２とｔ３の差分Δｔから、可視見当マーク８０と透明見当マーク８２の見当ずれ量を演算する。この見当ずれ量が無くなるように制御部２８によりコンペンセータローラ３２の位置作動等を制御することにより、第１印刷ユニット１２ａで行われる可視インキで印刷される版と第２印刷ユニット１２ｂで行われる透明インキで印刷される版との図柄の見当合わせを行うことができる。
【００５９】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【００６０】
たとえば、図２に示す見当マーク検出装置１０において、第１ミラー４６と透明ウェブ３０との間に偏光子を配置し、透明ウェブ３０と第２ミラー４８との間に偏光子とクロスニコル状態で配置された検光子を配置してもよい。この場合、余分な光束をカットすることができるので、好適に透明見当マークを検出することができる。
【００６１】
また、図２に示す見当マーク検出装置１０において、光源４０をストロボ発光する光源とし、受光素子６４を、ナイフエッジ５２を通過した光束の像を撮像するＣＣＤやＣＭＯＳなどの撮像素子とし、撮像素子により撮像された像を表示装置に表示するように構成してもよい。この場合、透明見当マーク３１の印刷状態を静止画像として可視化できる静止画像装置を実現できる。
【００６２】
また、図２に示す見当マーク検出装置１０では、レンズを用いて平行光束を照射し、収束する光学系を構成したが、凹面鏡を用いて同様な光学系を構成してもよい。この場合、平行光束を照射できる領域を大きくできるので、より大きな透明ウェブを印刷する輪転印刷機に適用することができる。
【図面の簡単な説明】
【００６３】
【図１】本発明の実施の形態に係る見当マーク検出装置を用いた輪転印刷機を示す図である。
【図２】本発明の実施の形態に係る見当マーク検出装置を説明するための図である。
【図３】図３（ａ）（ｂ）は、制御部における信号処理を説明するための図である。
【図４】スキャニングヘッドの構成を説明するための図である。
【図５】図５（ａ）（ｂ）は、スキャニングヘッドの検出信号を示す図である。
【符号の説明】
【００６４】
１０  見当マーク検出装置、  １２  印刷ユニット、  １８  ガイドローラ、  ２０  版胴、  ２２  圧胴、  ２４  乾燥機、  ２６  スキャニングヘッド、  ２８  制御部、  ３０  透明ウェブ、  ３２  コンペンセータローラ、  ３４  レジスタモータ、  ３１、８２  透明見当マーク、  ４０  光源、  ４２、５８  光ファイバ、  ４４  コリメータレンズ、  ４６  第１ミラー、  ４８  第２ミラー、  ５０  集光レンズ、  ５２  ナイフエッジ、  ５４  ナイフエッジ移動機構、  ６０  干渉フィルタ部、  ６２  干渉フィルタ切替機構、  ６４  受光素子、  ６６  モニタ、  ７０  平行光束照射光学系、  ７２  集光光学系、  ７４  受光光学系、  ８０  可視見当マーク、  １００  輪転印刷機。
【要約】
【課題】透明ウェブ上に印刷された透明インキの見当マークを好適に検出できる見当マーク検出装置を提供する。
【解決手段】見当マーク検出装置１０は、搬送される透明ウェブ３０上に印刷された透明見当マーク３１を検出する見当マーク検出装置である。見当マーク検出装置１０は、光源４０と、光源４０からの光束を平行光束に変換して、透明ウェブ３０に照射する平行光束照射光学系７０と、透明ウェブ３０を透過した光束を集光する集光光学系７２と、集光光学系７２の後側焦点近傍に配置され、透明ウェブ３０を直進する光束を遮断し、透明見当マーク３１を透過することにより屈折した光束のみを通過させるナイフエッジ５２と、ナイフエッジ５２を通過した光束を受光する受光素子６４とを備える。
【選択図】図２【図１】
0004260870.tif 000002
【図２】
0004260870.tif 000003
【図３】
0004260870.tif 000004
【図４】
0004260870.tif 000005
【図５】
0004260870.tif 000006